(57)【要約】【課題】タグリーダの検出エリアより広い範囲にＩＤタグが分布しているような状況で、それらのＩＤタグをグルーピングする。【解決手段】複数のＩＤタグ同士の関係の強弱の尺度を示すパラメータをパラメータ格納ＤＢ１１に格納しておき、移動可能なタグリーダ３により同時にＩＤタグから検出されたＩＤ情報の数に応じてそのパラメータの値を増減する。パラメータ格納ＤＢ１１に格納されているパラメータの値に応じて、複数のＩＤタグを同じグループに属すると判定する。【効果】タグリーダ３の検出エリア４より広い範囲にＩＤタグが分布しているような状況でも、それらのＩＤタグをグルーピングすることができる【選択図】      図１
2004258914.tif 000002
【特許請求の範囲】
【請求項１】
複数のＩＤタグ同士の関係の強弱の尺度を示すパラメータを格納するパラメータ格納手段と、移動可能なタグリーダにより同時に前記ＩＤタグから検出されたＩＤ情報の数に応じて前記パラメータの値を増減するパラメータ調節手段と、前記パラメータ格納手段に格納されているパラメータの値に応じて、複数のＩＤタグを同じグループに属すると判定する判定手段とを含むことを特徴とするタググルーピングシステム。
【請求項２】
前記パラメータ調節手段は、一対のＩＤタグからのＩＤ情報を初めて同時に検出したとき、前記一対のＩＤタグ同士の関係の尺度を示すパラメータを新たに設定することを特徴とする請求項１記載のタググルーピングシステム。
【請求項３】
前記パラメータ調節手段は、複数のＩＤタグからのＩＤ情報を検出した場合に、前記パラメータ格納手段に格納されている前記パラメータの値を増加させることを特徴とする請求項２記載のタググルーピングシステム。
【請求項４】
前記パラメータ調節手段は、前記パラメータ格納手段に前記パラメータが格納されている一対のＩＤタグのうち、片方からのＩＤ情報しか検出できなかった場合に、該パラメータの値を減少させることを特徴とする請求項２又は３記載のタググルーピングシステム。
【請求項５】
前記パラメータ調節手段は、前記パラメータ格納手段に格納されているパラメータの値が零になったとき、該パラメータの設定を消去することを特徴とする請求項２乃至４のいずれか１項に記載のタググルーピングシステム。
【請求項６】
前記判定手段は、前記パラメータ格納手段に格納されているパラメータの値が所定しきい値より大となった場合に、該パラメータに対応するＩＤタグ同士を同じグループに属すると判定することを特徴とする請求項１乃至５のいずれか１項に記載のタググルーピングシステム。
【請求項７】
複数のＩＤタグ同士の関係の強弱の尺度を示すパラメータの値に応じて、複数のＩＤタグを同じグループに属すると判定するタググルーピング方法であって、一対のＩＤタグからのＩＤ情報を初めて同時に検出したとき、前記パラメータを新たに設定するパラメータ設定ステップを含むことを特徴とするタググルーピング方法。
【請求項８】
前記複数のＩＤタグからのＩＤ情報を検出した場合に、前記パラメータの値を増加させるパラメータ増加ステップを更に含むことを特徴とする請求項７記載のタググルーピング方法。
【請求項９】
前記パラメータが設定されている一対のＩＤタグのうち、片方からのＩＤ情報しか検出できなかった場合に、該パラメータの値を減少させるパラメータ減少ステップを更に含むことを特徴とする請求項７又は８記載のタググルーピング方法。
【請求項１０】
前記パラメータの値が零になったとき、該パラメータの設定を消去するパラメータ消去ステップを更に含むことを特徴とする請求項７乃至９のいずれか１項に記載のタググルーピング方法。
【請求項１１】
前記パラメータの値が所定しきい値より大となった場合に、該パラメータに対応するＩＤタグ同士を同じグループに属すると判定する判定ステップを更に含むことを特徴とする請求項７乃至１０のいずれか１項に記載のタググルーピング方法。
【発明の詳細な説明】
【０００１】
【発明の属する技術分野】
本発明はタググルーピングシステム、タググルーピング方法に関し、特に移動可能なタグリーダにより検出された複数のＩＤタグをグルーピングするタググルーピングシステム、タググルーピング方法に関する。
【０００２】
【従来の技術】
従来から、移動可能なタグリーダが複数のＲＦＩＤ（ｒａｄｉｏ  ｆｒｅｑｕｅｎｃｙ  ｉｄｅｎｔｉｆｉｃａｔｉｏｎ）等のＩＤタグを同時に検出することで、それらを意味のある塊としてグルーピングすることによって、様々なサービスを提供する方法が提案されている。
【０００３】
例えば、特許文献１では、携帯電話機やＰＤＡ（Ｐｅｒｓｏｎａｌ  Ｄｉｇｉｔａｌ  Ａｓｓｉｓｔａｎｔ）などの携帯電子機器がタグリーダを持つものとし、そのような移動可能なタグリーダで物品等に貼りついているＩＤタグを検出し、それらをグルーピングして同一のユーザが所持している物品であると認識することによって、ユーザの持ち物等を登録することができる。
【０００４】
【特許文献１】
特開２００２−１６３３０１号公報（図２、段落［００４０］〜［００４２］）
【０００５】
【発明が解決しようとする課題】
しかしながら、上述した従来技術においては、タグリーダがＩＤタグを同時に検出できるエリアは限られている。したがって、ユーザの持ち物というような、比較的エリアが狭い場合であればタグリーダで同時に検出したすべてのＩＤタグをグルーピングすればよいが、それよりも広いエリアのＩＤタグをグルーピングすることはできない。
【０００６】
例えば、部屋の中に分布しているすべてのＩＤタグをグルーピングしたいような場合には、従来の方法では、タグリーダで広いエリアに分布しているすべてのＩＤタグを同時に検出することができない。このため、そのようなＩＤタグをグルーピングできないという問題がある。
また、ユーザが移動可能なタグリーダを持って、部屋の中を歩き回ることにより、部屋の中のすべてのＩＤタグを検出することはできる。しかしながら、その場合、それらが同じ部屋の中にあるということは判断できないという問題がある。
【０００７】
本発明は上述した従来技術の問題点を解決するためになされたものであり、その目的はタグリーダの検出エリアより広い範囲にＩＤタグが分布しているような状況で、それらのＩＤタグをグルーピングすることのできるタググルーピングシステム、タググルーピング方法を提供することである。
【０００８】
【課題を解決するための手段】
本発明の請求項１によるタググルーピングシステムは、複数のＩＤタグ同士の関係の強弱の尺度を示すパラメータを格納するパラメータ格納手段と、移動可能なタグリーダにより同時に前記ＩＤタグから検出されたＩＤ情報の数に応じて前記パラメータの値を増減するパラメータ調節手段と、前記パラメータ格納手段に格納されているパラメータの値に応じて、複数のＩＤタグを同じグループに属すると判定する判定手段とを含むことを特徴とする。ＩＤタグ同士の関係を示すパラメータを設定し、移動可能タグリーダでＩＤタグを同時に検出したかどうかで、そのパラメータの値を調節することにより、それらのＩＤタグ同士の関係の強さがわかる。
【０００９】
本発明の請求項２によるタググルーピングシステムは、請求項１において、前記パラメータ調節手段は、一対のＩＤタグからのＩＤ情報を初めて同時に検出したとき、前記一対のＩＤタグ同士の関係の尺度を示すパラメータを新たに設定することを特徴とする。タグリーダで一対のＩＤタグからのＩＤ情報を初めて同時に検出したときにパラメータを設定し、このパラメータを参照することで、ＩＤタグ同士の関係の強さを示すことができる。
【００１０】
本発明の請求項３によるタググルーピングシステムは、請求項２において、前記パラメータ調節手段は、複数のＩＤタグからのＩＤ情報を検出した場合に、前記パラメータ格納手段に格納されている前記パラメータの値を増加させることを特徴とする。タグリーダにより同時に検出されたＩＤタグ同士のパラメータを増加させることで、それらのＩＤタグの結びつきが強いことを示すことができる。
【００１１】
本発明の請求項４によるタググルーピングシステムは、請求項２又は３において、前記パラメータ調節手段は、前記パラメータ格納手段に前記パラメータが格納されている一対のＩＤタグのうち、片方からのＩＤ情報しか検出できなかった場合に、該パラメータの値を減少させることを特徴とする。一対のＩＤタグを同時に検出できなかったらパラメータを減少させることで、それらのＩＤタグの結びつきが弱まったことを示すことができる。
【００１２】
本発明の請求項５によるタググルーピングシステムは、請求項２乃至４のいずれか１項において、前記パラメータ調節手段は、前記パラメータ格納手段に格納されているパラメータの値が零になったとき、該パラメータの設定を消去することを特徴とする。パラメータが零になったらそのパラメータを消去することによって、一対のＩＤタグ同士の結びつきがなくなったことを示すことができる。
【００１３】
本発明の請求項６によるタググルーピングシステムは、請求項１乃至５のいずれか１項において、前記判定手段は、前記パラメータ格納手段に格納されているパラメータの値が所定しきい値より大となった場合に、該パラメータに対応するＩＤタグ同士を同じグループに属すると判定することを特徴とする。あるしきい値を設けることにより、ＩＤタグ同士のパラメータの値がそのしきい値を越えた場合にそれらのＩＤタグを同じグループに属するとすることができる。
【００１４】
本発明の請求項７によるタググルーピング方法は、複数のＩＤタグ同士の関係の強弱の尺度を示すパラメータの値に応じて、複数のＩＤタグを同じグループに属すると判定するタググルーピング方法であって、一対のＩＤタグからのＩＤ情報を初めて同時に検出したとき、前記パラメータを新たに設定するパラメータ設定ステップを含むことを特徴とする。タグリーダで一対のＩＤタグからのＩＤ情報を初めて同時に検出したときにパラメータを設定し、このパラメータを参照することで、ＩＤタグ同士の関係の強さを示すことができる。
【００１５】
本発明の請求項８によるタググルーピング方法は、請求項７において、前記複数のＩＤタグからのＩＤ情報を検出した場合に、前記パラメータの値を増加させるパラメータ増加ステップを更に含むことを特徴とする。タグリーダにより同時に検出されたＩＤタグ同士のパラメータを増加させることで、そのＩＤタグの結びつきが強いことを示すことができる。
【００１６】
本発明の請求項９によるタググルーピング方法は、請求項７又は８において、前記パラメータが設定されている一対のＩＤタグのうち、片方からのＩＤ情報しか検出できなかった場合に、該パラメータの値を減少させるパラメータ減少ステップを更に含むことを特徴とする。一対のＩＤタグを同時に検出できなかったらパラメータを減少させることで、そのＩＤタグの結びつきが弱まったことを示すことができる。
【００１７】
本発明の請求項１０によるタググルーピング方法は、請求項７乃至９のいずれか１項において、前記パラメータの値が零になったとき、該パラメータの設定を消去するパラメータ消去ステップを更に含むことを特徴とする。パラメータが零になったらそのパラメータを消去することによって、一対のＩＤタグ同士の結びつきがなくなったことを示すことができる。
【００１８】
本発明の請求項１１によるタググルーピング方法は、請求項７乃至１０のいずれか１項において、前記パラメータの値が所定しきい値より大となった場合に、該パラメータに対応するＩＤタグ同士を同じグループに属すると判定する判定ステップを更に含むことを特徴とする。あるしきい値を設けることにより、ＩＤタグ同士のパラメータの値がそのしきい値を越えた場合にそれらのＩＤタグを同じグループに属するとすることができる。
【００１９】
ところで、本システムでは、以下を前提とする。まず、世の中にあるあらゆる物品に、予めその物品を識別するための識別子が格納されたＩＤタグが設置されており、その識別子は対応するタグリーダにより読取ることができることを前提とする。
【００２０】
また、ＩＤタグ及びタグリーダには、タグリーダがＩＤタグからのＩＤ情報（識別情報）を検出できる距離によって様々なものがあるが、本システムでは、複数の物品にそれぞれ付加されているＩＤタグからのＩＤ情報を同時に検出することを目的としているため、検出距離があまり広くないＩＤタグ及びタグリーダを用いることを前提とする。例えば、周知のＲＦＩＤ（ｒａｄｉｏ  ｆｒｅｑｕｅｎｃｙ  ｉｄｅｎｔｉｆｉｃａｔｉｏｎ）等を用いることを前提とする。
さらに、ユーザは、ＩＤタグからのＩＤ情報を検出するためのタグリーダとしての機能を有する携帯電子機器を保持していることを前提とする。この携帯電子機器は、例えば、携帯電話機やＰＤＡ等の移動可能な携帯電子機器である。
【００２１】
【発明の実施の形態】
以下、図面を参照して本発明の実施の形態について説明する。なお、以下の説明において参照する各図においては、他の図と同等部分に同一符号が付されている。
（本システムの構成）
図１は本発明によるタググルーピングシステムの実施の一形態を示すブロック図である。同図に示されているように、本実施形態によるタググルーピングシステムでは、部屋１００内に存在する物品それぞれに、予めその物品を識別するための識別子が格納されたＩＤタグ２が付加されており、そのＩＤタグ２からのＩＤ情報をタグリーダ機能付き携帯電子機器（以下、タグリーダと呼ぶ）３により読取る。
【００２２】
また、同図に示されているように、本実施形態によるタググルーピングシステムは、複数のＩＤタグ同士の関係の強弱の尺度を示すパラメータを格納するパラメータ格納ＤＢ（ｄａｔａ  ｂａｓｅ）１１と、移動可能なタグリーダ３により同時にＩＤタグから検出されたＩＤ情報の数に応じて、パラメータ格納ＤＢ１１に格納されているパラメータの値を増減するパラメータ調節機能１２と、パラメータ格納ＤＢ１１に格納されているパラメータの値に応じて、複数のＩＤタグを同じグループに属すると判定するグルーピング判定機能１３とを有するグルーピングサーバ１を含んで構成されている。このグルーピングサーバ１は、後述する図３及び図４に示されている動作を実現するためのプログラムで制御されるコンピュータによって実現することができる。
【００２３】
以上のような本システムの構成において、まず、ユーザ４が持っている移動可能なタグリーダ３により、タグリーダ検出エリア５内にあるＩＤタグからのＩＤ情報が同時に検出されると、それらの情報を、グルーピングを行うグルーピングサーバに通知する。このときに通知される情報３０は、例えば、検出したＩＤタグのＩＤ情報の他、その検出時刻、検出したタグリーダのＩＤ情報等である。
【００２４】
ここで、「同時」とは、全く同じ時刻に検出した場合に限らず、予め定められた時間内に複数のＩＤ情報が検出されれば、それらは同時に検出されたものとみなしても良い。すなわち、複数のＩＤ情報が所定時間内に検出されれば、それらは同時に検出されたものとして取扱っても良い。
複数のＩＤ情報を同時に検出したかどうかの判断は、タグリーダが行い、グルーピングサーバに通知する。もっとも、タグリーダは通知するだけで、それを受取ったグルーピングサーバ側が通知されたＩＤ情報の検出時刻に基づいてその判断をしてもよい。
【００２５】
グルーピングサーバ１では、複数のＩＤタグからのＩＤ情報を初めて同時に検出した場合には、パラメータ調節機能１２により、パラメータ格納ＤＢ１１にテーブルを作成し、そのテーブルにそれらのＩＤタグ同士の関係の尺度を示すパラメータを設定し、それらのＩＤタグの結びつきが強いとして、そのパラメータの値を増加させる。
【００２６】
２回目以降にそれらのＩＤタグを同時に検出した場合には、すでにそれらのＩＤタグ同士の関係の尺度を示すパラメータが設定されているため、パラメータ調節機能１２によりパラメータの値を増加させる。
ＩＤタグ同士のパラメータが設定されているにも関わらず、そのうちの片方のＩＤタグしか検出できなかった場合には、それらのＩＤタグの結びつきが弱まったとして、パラメータ調節機能１２により設定されているパラメータの値を減少させる。
【００２７】
パラメータが減少してその値が０（零）になったら、そのＩＤタグ同士はつながりがなくなったと判断して、パラメータ調節機能によりそのパラメータを消去する。
（パラメータのテーブル）
グルーピングサーバ１はパラメータ格納ＤＢ１１にそれらのパラメータのテーブルを作成し、そのテーブルにパラメータの値を格納する。
【００２８】
パラメータ格納ＤＢ１１に作成されるテーブルは、例えば、図２に示されているようになる。同図に示されているテーブルには、４種類のタグすなわち「ＴａｇＡ」のタグ〜「ＴａｇＤ」のタグのパラメータが格納されている。値が「０」である場合、その値のパラメータは消去されている状態である。
ここで、ＩＤタグ同士のパラメータは２種類存在することになる。すなわち、例えば、「ＴａｇＡ」のタグと「ＴａｇＢ」のタグとの関係を考えると、「ＴａｇＡ」のタグからみた「ＴａｇＢ」のタグのパラメータの値と、「ＴａｇＢ」のタグからみた「ＴａｇＡ」のタグのパラメータの値と、の２種類が存在する。
【００２９】
ここで、パラメータの値を増加させる場合は、それらの両方のパラメータの値を増加させ、パラメータの値を減少させる場合は、検出された方のＩＤタグからみたパラメータの値を減少させる。
例えば、「ＴａｇＡ」及び「ＴａｇＢ」のパラメータが設定されている際に、片方のみ、例えば「ＴａｇＡ」のタグのＩＤ情報のみを検出した場合には、「ＴａｇＡ」のタグからみた「ＴａｇＢ」のタグのパラメータの値のみを減少させ、「ＴａｇＢ」のタグからみた「ＴａｇＡ」のタグのパラメータの値は減少させずそのままの値にする。
【００３０】
グルーピングサーバ１はグルーピング判定機能１３によりＩＤタグ同士をグルーピングするためのしきい値を設定する。そして、２種類あるＩＤタグ同士のパラメータの値のうち、少なくとも一方がしきい値を超えたら、それらのＩＤタグを同じグループとする。
そのしきい値の設定は、グルーピングサーバ１が独自に行ってもよいし、部屋１００内においてユーザ４が行ってもよい。またサービスを提供するためにタググルーピングの情報を必要とするサービスプロバイダ２０等が外部から設定してもよい。
【００３１】
タグリーダ３を持ったユーザが例えば、部屋１００内を歩き回ることにより、その部屋１００の中にあるＩＤタグをタグリーダで検出し、それらをグルーピングすることができる。
なお、このような移動可能なタグリーダによるタググルーピングを用いたアプリケーション例としては、部屋の中のすべてのＩＤタグが貼りついた物品をグループ化することにより、部屋の中にある物品を管理するサービス等が考えられる。
（パラメータ調節機能）
図３は図１中のパラメータ調節機能１２の処理内容を示すフローチャートである。
【００３２】
図３において、最初に、ＩＤタグからのＩＤ情報が検出されたか判断する（ステップＳ３０１）。ステップＳ３０１の判断の結果、ＩＤタグからのＩＤ情報が検出されない場合は、処理待ち状態になる。
ステップＳ３０１の判断の結果、ＩＤタグからのＩＤ情報が検出された場合は、次に複数のＩＤ情報が検出できたか判断する（ステップＳ３０１→Ｓ３０２）。ステップＳ３０２の判断の結果、複数のＩＤ情報が検出できた場合は、さらに、初めて検出されたＩＤ情報であるか判断する（ステップＳ３０２→Ｓ３０３）。
【００３３】
ステップＳ３０３の判断の結果、初めて検出されたＩＤ情報である場合は、テーブルを作成し、パラメータを新たに設定する（ステップＳ３０３→Ｓ３０４）。この場合、それらのＩＤタグの結びつきが強いとして、パラメータの値を増加させる（ステップＳ３０４→Ｓ３０５）。ステップＳ３０３の判断の結果、初めて検出されたＩＤ情報ではない場合すなわち以前に検出されたことがある場合も、同様に、パラメータの値を増加させる（ステップＳ３０３→Ｓ３０５）。その後、ステップＳ３０１に戻り、再びＩＤタグからのＩＤ情報が検出されたか判断する（ステップＳ３０５→Ｓ３０１）。
【００３４】
ステップＳ３０２の判断の結果、複数のＩＤ情報ではなく、単数のＩＤ情報が検出できた場合、パラメータが既に設定されているか判断する（ステップＳ３０２→Ｓ３０６）。ステップＳ３０６の判断の結果、パラメータが既に設定されている場合は、それらのＩＤタグの結びつきが弱まったとして、そのパラメータの値を減少させる（ステップＳ３０６→Ｓ３０７）。
【００３５】
さらに、パラメータの値が零であるか判断する（ステップＳ３０８）。ステップＳ３０８の判断の結果、パラメータの値が零である場合、一対のＩＤタグ同士の結びつきがなくなったとして、そのパラメータを消去する（ステップＳ３０８→Ｓ３０９）。
ステップＳ３０６の判断の結果、パラメータが設定されていない場合は、ステップＳ３０１に戻り、再びＩＤタグからのＩＤ情報が検出されたか判断する（ステップＳ３０６→Ｓ３０１）。
【００３６】
ステップＳ３０８の判断の結果、パラメータの値が零ではない場合も同様に、ステップＳ３０１に戻り、再びＩＤタグからのＩＤ情報が検出されたか判断する（ステップＳ３０８→Ｓ３０１）。ステップＳ３０９においてパラメータを消去した後も同様に、ステップＳ３０１に戻り、再びＩＤタグからのＩＤ情報が検出されたか判断する（ステップＳ３０９→Ｓ３０１）。
【００３７】
以上の処理を繰返すことにより、パラメータ調節機能１２は、ＩＤタグから検出されたＩＤ情報の数に応じてパラメータの値を増減する処理を行う。
（グルーピング判定機能）
図４は図１中のグルーピング判定機能１３の処理内容を示すフローチャートである。
【００３８】
図４において、最初に、パラメータの値が予め定められたしきい値より大となったか判断する（ステップＳ４０１）。ステップＳ４０１の判断の結果、しきい値より大である場合、そのパラメータに対応する一対のＩＤタグを同じグループとしてグルーピングする（ステップＳ４０１→Ｓ４０２）。一方、ステップＳ４０１の判断の結果、しきい値より大でない場合、そのパラメータに対応する一対のＩＤタグを異なるグループとする（ステップＳ４０１→Ｓ４０３）。
【００３９】
以上の処理を繰返すことにより、グルーピング判定機能は、ＩＤタグについてのグルーピング処理を行う。
以上説明したタググルーピングシステムによれば、タグリーダが移動することにより、１つのタグリーダでは検出できない広範囲に分布する複数のＩＤタグからのＩＤ情報を検出し、それらをグルーピングすることができる。そして、グルーピングした情報をユーザに通知するコンテンツプロバイダや、サービスを提供するためにグルーピングの情報を必要とするサービスプロバイダに、それらの情報を提供することができるので、新しいサービスを生み出す効果が期待される。
（タググルーピング方法）
上述したタググルーピングシステムにおいては、以下のようなタググルーピング方法が実現されている。すなわち、複数のＩＤタグ同士の関係の強弱の尺度を示すパラメータの値に応じて、複数のＩＤタグを同じグループに属すると判定するタググルーピング方法であり、一対のＩＤタグを初めて同時に検出したとき、上記パラメータを新たに設定するパラメータ設定ステップ（図３中のステップＳ３０４に相当）を含むタググルーピング方法が実現されている。タグリーダで一対のＩＤタグを初めて同時に検出したときにパラメータを設定し、このパラメータを参照することで、ＩＤタグ同士の関係の強さを示すことができる。
【００４０】
また、上記複数のＩＤタグからのＩＤ情報を検出した場合に、上記パラメータの値を増加させるパラメータ増加ステップ（図３中のステップＳ３０５に相当）を更に含むタググルーピング方法が実現されている。タグリーダにより同時に検出されたＩＤタグ同士のパラメータを増加させることで、そのＩＤタグの結びつきが強いことを示すことができる。
【００４１】
さらにまた、上記パラメータが設定されている一対のＩＤタグのうち、片方からのＩＤ情報しか検出できなかった場合に、該パラメータの値を減少させるパラメータ減少ステップ（図３中のステップＳ３０７に相当）を更に含むタググルーピング方法が実現されている。一対のＩＤタグを同時に検出できなかったらパラメータを減少させることで、そのＩＤタグの結びつきが弱まったことを示すことができる。
【００４２】
そして、上記パラメータの値が零になったとき、該パラメータの設定を消去するパラメータ消去ステップ（図３中のステップＳ３０９に相当）を更に含むタググルーピング方法が実現されている。パラメータが零になったらそのパラメータを消去することによって、一対のＩＤタグ同士の結びつきがなくなったことを示すことができる。
【００４３】
なお、上記パラメータの値が所定しきい値より大となった場合に、該パラメータに対応するＩＤタグ同士を同じグループに属すると判定する判定ステップを更に含むタググルーピング方法が実現されている。あるしきい値を設けることにより、ＩＤタグ同士のパラメータの値がそのしきい値を越えた場合にそれらのＩＤタグを同じグループに属するとすることができる。
【００４４】
【発明の効果】
以上説明したように本発明は、複数のＩＤタグ同士の関係の強弱の尺度を示すパラメータを格納しておき、移動可能なタグリーダにより同時に前記ＩＤタグから検出されたＩＤ情報の数に応じてそのパラメータの値を増減し、パラメータの値に応じて、複数のＩＤタグを同じグループに属すると判定することにより、タグリーダの検出エリアより広い範囲にＩＤタグが分布しているような状況で、それらのＩＤタグをグルーピングすることができるという効果がある。これにより、グルーピングした情報をユーザに通知するコンテンツプロバイダや、サービスを提供するためにグルーピングの情報を必要とするサービスプロバイダに、それらの情報を提供することができるので、新しいサービスを生み出す効果が期待される。
【図面の簡単な説明】
【図１】本発明によるタググルーピングシステムの実施の一形態を示す図である。
【図２】図１中のグルーピングサーバにおいて作成されるテーブルの例を示す図である。
【図３】図１中のパラメータ調節機能の処理内容を示すフローチャートである。
【図４】図１中のグルーピング判定機能の処理内容を示すフローチャートである。
【符号の説明】
１  グルーピングサーバ
２  タグ
３  タグリーダ
４  ユーザ
５  タグリーダ検出エリア
１１  パラメータ格納ＤＢ
１２  パラメータ調節機能
１３  グルーピング判定機能
２０  サービスプロバイダ
１００  部屋
【図１】
2004258914.tif 000003
【図２】
2004258914.tif 000004
【図３】
2004258914.tif 000005
【図４】
2004258914.tif 000006